【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
第１の感度受信モード、該第１の感度受信モードより高い受信感度の第２の感度受信モード、第１の送信電力モード及び該第１の送信電力モードより低い送信電力の第２の送信電力モードの４つのモードを有する第１及び第２の無線通信装置を備え、
前記第１及び第２の無線通信装置の間で相互に無線通信可能であって、
前記第１及び第２の無線通信装置は、データ送信時にデータ受信側に対して前記第２の感度受信モードへの遷移要求を行う第２の感度受信モード遷移要求手段と、データ受信時にデータ送信側の前記第２の感度受信モード遷移要求手段からの前記第２の感度受信モードへの遷移要求を受けたときに前記第２の感度受信モードに遷移する第２の感度受信モード遷移手段と、データ送信時にデータ受信側の前記第２の感度受信モード遷移手段から前記第２の感度受信モードへの遷移通知を受けたときに前記第２の送信電力モードに遷移して送信データを送信する第２の送信電力モード遷移手段とを備えている無線通信システム。
【請求項２】
前記第１及び第２の無線通信装置は、暗号化キーをデータ受信側に送信するデータ送信時に、前記第２の感度受信モード遷移要求手段で前記第２の感度受信モードへの遷移要求を行う請求項１に記載の無線通信システム。
【請求項３】
第１の送信電力モード及び前記第１の送信電力モードより低い送信電力の第２の送信電力モードを有する第１の無線通信装置と、
第１の感度受信モード及び前記第１の感度受信モードより高い受信感度の第２の感度受信モードを有し、前記第１の無線通信装置との間で無線通信を行う第２の無線通信装置とを有し、
前記第１の無線通信装置は、前記第２の無線通信装置に対して前記第２の感度受信モードへの遷移要求を行う第２の感度受信モード遷移要求手段と、前記第２の無線通信装置から前記第２の無線通信装置が前記第２の感度受信モードへと遷移したことを示す通知を受けた時に前記第２の送信電力モードに遷移する第２の送信電力モード遷移手段とを有し、
前記第２の無線通信装置は、前記第１の無線通信装置からの前記第２の感度受信モードへの遷移要求を受けた時に前記第２の感度受信モードに遷移する第２の感度受信モード遷移手段を有することを特徴とする無線通信システム。
【請求項４】
前記第１の無線通信装置は、暗号化キーを前記第２の無線通信装置に送信する時に、前記第２の感度受信モード遷移要求手段にて前記第２の無線通信装置へ前記第２の感度受信モードへの遷移要求を行う請求項３に記載の無線通信システム。
【請求項５】
前記第２の感度受信モードへの遷移は、暗号化キーをデータ受信側に送信するデータ送信の前に、前記第２の感度受信モードへの遷移要求を受信したか否かに関わらずに行われる請求項１および３の何れか一項に記載の無線通信システム。
【請求項６】
前記第２の送信電力モード遷移手段は、データ送信時に、送信電力を所定電力分下げた状態で、受信確認データをデータ受信側に送信することを繰り返し、データ受信側からの送達確認データの受信が可能な最小送信電力まで送信電力を低下させるように構成されている請求項１〜５の何れか一項に記載の無線通信システム。
【請求項７】
前記第２の送信電力モード遷移手段は、前記第２の送信電力モードを選択したときに、送信データを前記第１の送信電力モード時の第１の符号化方式に対して誤り訂正能力が高い第２の符号化方式で符号化して送信するように構成されている請求項１〜６の何れか一項に記載の無線通信システム。
【請求項８】
前記第２の符号化方式は、前記第１の符号化方式よりも低い誤り訂正符号化率で符号化することを特徴とする請求項７に記載の無線通信システム。
【請求項９】
前記第１の符号化方式は符号化率２／３の誤り訂正符号としてハミング符号を用いた符号化方式であり、
前記第２の符号化方式は符号化率１／３の誤り訂正符号として３回同じ情報を送信する単純繰り返し法を用いた符号化方式であることを特徴とする請求項７〜８の何れか一項に記載の無線通信システム。
【請求項１０】
第１の感度受信モード、該第１の感度受信モードより高い受信感度の第２の感度受信モード、第１の送信電力モード及び該第１の送信電力モードより低い送信電力の第２の送信電力モードの４つのモードを有する第１及び第２の無線通信装置間で無線通信可能であって、データ送信側の前記第１または第２の無線通信装置が秘匿データを送信する際に、データ受信側の前記第１または第２の無線通信装置を前記第２の感度受信モードに遷移させてから前記第２の電力送信モードに遷移し、前記第２の電力送信モードで前記秘匿データを送信するようにしたことを特徴とする無線通信方法。
【請求項１１】
第１の送信電力モード及び前記第１の送信電力モードより低い送信電力の第２の送信電力モードを有する第１の無線通信装置と、第１の感度受信モード及び前記第１の感度受信モードより高い受信感度の第２の感度受信モードを有する第２の無線通信装置との間で無線通信を行い、前記第１の無線通信装置が前記第２の無線通信装置を前記第２の感度受信モードに遷移させてから前記第２の電力送信モードに遷移し、前記第２の電力送信モードでデータ送信を行うことを特徴とする無線通信方法。
【請求項１２】
第１の感度受信モード、前記第１の感度受信モードより高い受信感度の第２の感度受信モード、第１の送信電力モード、前記第１の送信電力モードより低い送信電力の第２の送信電力モードの４つのモードを有し、
通信相手の通信装置へデータ送信を行う際に、前記通信装置に対して前記第２の感度受信モードへの遷移要求を行う第２の感度受信モード遷移要求手段と、
前記通信装置からデータ受信を行う際に、前記通信装置から前記第２の感度受信モードへの遷移要求を受信したときは、前記第２の感度受信モードへ遷移する第２の感度受信モード遷移手段と、
前記通信装置へデータ送信を行う際に、前記通信装置から、前記通信装置が前記第２の感度受信モードへの遷移した通知を受信したときは、前記第２の送信電力モードに遷移してデータ送信を行う第２の送信電力モード遷移手段とを有することを特徴とする無線通信装置。
【請求項１３】
第１の送信電力モード及び前記第１の送信電力モードよりも低い送信電力の第２の送信電力モードを有し、
通信相手の、第１の感度受信モード及び前記第１の感度受信モードよりも高い受信感度の第２の受信感度モードを有する通信装置に対して、前記第２の感度受信モードへの遷移要求を行う第２の感度受信モード遷移要求手段と、
前記通信装置から前記通信装置が前記第２の感度受信モードへ遷移した通知を受信したときに、前記第２の送信電力モードに遷移する第２の送信電力モード遷移手段とを有し、
前記第２の送信電力モードに遷移してから、前記通信装置へ秘匿データを送信することを特徴とする無線通信装置。
【請求項１４】
前記無線通信装置は、暗号化キーを前記通信装置へ送信する時に、前記第２の感度受信モード遷移要求手段で前記第２の感度受信モードへの遷移要求を行うことを特徴とする請求項１２〜１３の何れか一項に記載の無線通信装置。
【請求項１５】
前記第２の感度受信モードへの遷移は、暗号化キーを前記通信装置へ送信する前に、前記第２の感度受信モードへの遷移要求を受信したか否かに関わらずに行われることを特徴とする請求項１２〜１３の何れか一項に記載の無線通信装置。
【請求項１６】
前記第２の送信電力モード遷移手段は、前記通信装置へデータ送信を行う際に、送信電力を所定電力分下げた状態で、受信確認データを前記通信装置へ送信することを繰り返し、前記通信装置からの送達確認データの受信が可能な最小送信電力まで送信電力を低下させることを特徴とする請求項１２〜１５の何れか一項に記載の無線通信装置。
【請求項１７】
前記第２の送信電力モード遷移手段は、前記第２の送信電力モードを選択した時に、送信データを前記第１の送信電力モード時の第１の符号化方式に対して、前記第１の符号化方式よりも誤り訂正能力が高い第２の符号化方式で符号化して送信することを特徴とする請求項１２〜１６の何れか一項に記載の無線通信装置。
【請求項１８】
前記第２の符号化方式は、前記第１の符号化方式よりも低い誤り訂正符号化率で符号化することを特徴とする請求項１７に記載の無線通信装置。
【請求項１９】
前記第１の符号化方式は符号化率２／３の誤り訂正符号としてハミング符号を用いた符号化方式であり、
前記第２の符号化方式は符号化率１／３の誤り訂正符号として３回同じ情報を送信する単純繰り返し法を用いた符号化方式であることを特徴とする請求項１７〜１８の何れか一項に記載の無線通信装置。
【請求項２０】
第１の感度受信モード及び前記第１の感度受信モードよりも高い受信感度の第２の感度受信モードを有し、
通信相手の通信装置から前記第２の感度受信モードへの遷移要求を受信したときに、前記第２の感度受信モードへ遷移する第２の感度受信モード遷移手段を有し、
前記第２の感度受信モードに遷移してから、前記通信装置からの秘匿データを受信することを特徴とする無線通信装置。
【手続補正２】
【補正対象書類名】明細書
【補正対象項目名】発明の名称
【補正方法】変更
【補正の内容】
【発明の名称】無線通信システム、無線通信方法、及び、無線通信装置
【手続補正３】
【補正対象書類名】明細書
【補正対象項目名】０００８
【補正方法】変更
【補正の内容】
【０００８】
上記課題を解決するために本願では次に列挙するような技術を提案する。
（１）第１の感度受信モード、該第１の感度受信モードより高い受信感度の第２の感度受信モード、第１の送信電力モード及び該第１の送信電力モードより低い送信電力の第２の送信電力モードの４つのモードを有する第１及び第２の無線通信装置を備え、
前記第１及び第２の無線通信装置の間で相互に無線通信可能であって、
前記第１及び第２の無線通信装置は、データ送信時にデータ受信側に対して前記第２の感度受信モードへの遷移要求を行う第２の感度受信モード遷移要求手段と、データ受信時にデータ送信側の前記第２の感度受信モード遷移要求手段からの前記第２の感度受信モードへの遷移要求を受けたときに前記第２の感度受信モードに遷移する第２の感度受信モード遷移手段と、データ送信時にデータ受信側の前記第２の感度受信モード遷移手段から前記第２の感度受信モードへの遷移通知を受けたときに前記第２の送信電力モードに遷移して送信データを送信する第２の送信電力モード遷移手段とを備えている無線通信システム。
上記（１）の無線通信システムでは、送信側からの第２の感度受信モードへの遷移要求に応じて受信側が相対的に高い受信感度の第２の感度受信モードに遷移すると共に該遷移した旨送信側に遷移通知を発し、送信側は該遷移通知を受けて相対的に低い送信電力の第２の送信電力モードで送信データを送信する。このため、正常な通信状態を維持しながら秘匿性を向上させることができる。
（２）前記第１及び第２の無線通信装置は、暗号化キーをデータ受信側に送信するデータ送信時に、前記第２の感度受信モード遷移要求手段で前記第２の感度受信モードへの遷移要求を行う（１）の無線通信システム。
上記（２）の無線通信システムでは（１）の無線通信システムにおいて特に、暗号化キーをデータ受信側に送信するに際して受信側が相対的に高い受信感度の第２の感度受信モードに遷移することが促される。受信側がこの促しに応じることにより、秘匿性を向上させた状態で暗号化キーの授受が行われ得る。
（３）第１の送信電力モード及び前記第１の送信電力モードより低い送信電力の第２の送信電力モードを有する第１の無線通信装置と、
第１の感度受信モード及び前記第１の感度受信モードより高い受信感度の第２の感度受信モードを有し、前記第１の無線通信装置との間で無線通信を行う第２の無線通信装置とを有し、
前記第１の無線通信装置は、前記第２の無線通信装置に対して前記第２の感度受信モードへの遷移要求を行う第２の感度受信モード遷移要求手段と、前記第２の無線通信装置から前記第２の無線通信装置が前記第２の感度受信モードへと遷移したことを示す通知を受けた時に前記第２の送信電力モードに遷移する第２の送信電力モード遷移手段とを有し、
前記第２の無線通信装置は、前記第１の無線通信装置からの前記第２の感度受信モードへの遷移要求を受けた時に前記第２の感度受信モードに遷移する第２の感度受信モード遷移手段を有することを特徴とする無線通信システム。
上記（３）の無線通信システムでは、第１の無線通信装置側が第２の無線通信装置に対して相対的に高い受信感度の第２の感度受信モードに遷移することを促し、第２の無線通信装置側がこの促しに応じて第２の感度受信モードに遷移すると共に該遷移した旨を第１の無線通信装置側に通知し、該通知の受信を俟って第１の無線通信装置側は相対的に低い送信電力の第２の送信電力モードで第２の無線通信装置に対して送信データを送信する。このため、正常な通信状態を維持しながら秘匿性を向上させることができる。
【手続補正４】
【補正対象書類名】明細書
【補正対象項目名】０００９
【補正方法】変更
【補正の内容】
【０００９】
（４）前記第１の無線通信装置は、暗号化キーを前記第２の無線通信装置に送信する時に、前記第２の感度受信モード遷移要求手段にて前記第２の無線通信装置へ前記第２の感度受信モードへの遷移要求を行う（３）の無線通信システム。
上記（４）の無線通信システムでは（３）の無線通信システムにおいて特に、第１の無線通信装置から第２の無線通信装置に暗号化キーをデータ受信側に送信するに際して第２の無線通信装置側が相対的に高い受信感度の第２の感度受信モードに遷移することが促される。第２の無線通信装置がこの促しに応じることにより、秘匿性を向上させた状態で暗号化キーの授受が行われ得る。
（５）前記第２の感度受信モードへの遷移は、暗号化キーをデータ受信側に送信するデータ送信の前に、前記第２の感度受信モードへの遷移要求を受信したか否かに関わらずに行われる（１）および（３）の何れか一の無線通信システム。
上記（５）の無線通信システムでは（１）および（３）の何れか一の無線通信システムにおいて特に、送信側が暗号化キーをデータ受信側に送信するに際しては該送信に先立って、受信側における受信感度が相対的に高い第２の感度受信モードへと自動的に遷移する。このため、使い勝手が向上する。
（６）前記第２の送信電力モード遷移手段は、データ送信時に、送信電力を所定電力分下げた状態で、受信確認データをデータ受信側に送信することを繰り返し、データ受信側からの送達確認データの受信が可能な最小送信電力まで送信電力を低下させるように構成されている（１）〜（５）の何れか一の無線通信システム。
上記（６）の無線通信システムでは、（１）〜（５）の何れか一の無線通信システムにおいて特に、第２の送信電力モード遷移手段は、データ送信時に、送信電力を所定電力分下げた状態で、受信確認データをデータ受信側に送信することを繰り返し、データ受信側からの送達確認データの受信が可能な最小送信電力まで送信電力を低下させる。送信電力高い分解能で限界まで小さく調節することができる。
（７）前記第２の送信電力モード遷移手段は、前記第２の送信電力モードを選択したときに、送信データを前記第１の送信電力モード時の第１の符号化方式に対して誤り訂正能力が高い第２の符号化方式で符号化して送信するように構成されている（１）〜（６）の何れか一の無線通信システム。
上記（７）の無線通信システムでは、（１）〜（６）の何れか一の無線通信システムにおいて特に、受信エラーの発生を一層低減することができる。
（８）前記第２の符号化方式は、前記第１の符号化方式よりも低い誤り訂正符号化率で符号化することを特徴とする（７）の無線通信システム。
上記（８）の無線通信システムでは、（７）の無線通信システムにおいて特に、第１の符号化方式に対して誤り訂正能力が相対的に高い第２の符号化方式として誤り訂正符号化率が第１の符号化方式よりも低い方式が採られる。
（９）前記第１の符号化方式は符号化率２／３の誤り訂正符号としてハミング符号を用いた符号化方式であり、
前記第２の符号化方式は符号化率１／３の誤り訂正符号として３回同じ情報を送信する単純繰り返し法を用いた符号化方式であることを特徴とする（７）〜（８）の何れか一の無線通信システム。
上記（９）の無線通信システムでは、（７）〜（８）の何れか一の無線通信システムにおいて特に、第１の符号化方式には符号化率２／３の誤り訂正符号としてハミング符号を用いた符号化方式が採られ、第２の符号化方式には符号化率１／３の誤り訂正符号として３回同じ情報を送信する単純繰り返し法を用いた符号化方式が採られる。
【手続補正５】
【補正対象書類名】明細書
【補正対象項目名】００１０
【補正方法】変更
【補正の内容】
【００１０】
（１０）第１の感度受信モード、該第１の感度受信モードより高い受信感度の第２の感度受信モード、第１の送信電力モード及び該第１の送信電力モードより低い送信電力の第２の送信電力モードの４つのモードを有する第１及び第２の無線通信装置間で無線通信可能であって、データ送信側の前記第１または第２の無線通信装置が秘匿データを送信する際に、データ受信側の前記第１または第２の無線通信装置を前記第２の感度受信モードに遷移させてから前記第２の電力送信モードに遷移し、前記第２の電力送信モードで前記秘匿データを送信するようにしたことを特徴とする無線通信方法。
上記（１０）の無線通信方法では、送信側からの第２の感度受信モードへの遷移要求に応じて受信側が相対的に高い受信感度の第２の感度受信モードに遷移すると共に該遷移した旨送信側に遷移通知を発し、送信側は該遷移通知を受けて相対的に低い送信電力の第２の送信電力モードで送信データを送信する。このため、正常な通信状態を維持しながら秘匿性を向上させることができる。
（１１）第１の送信電力モード及び前記第１の送信電力モードより低い送信電力の第２の送信電力モードを有する第１の無線通信装置と、第１の感度受信モード及び前記第１の感度受信モードより高い受信感度の第２の感度受信モードを有する第２の無線通信装置との間で無線通信を行い、前記第１の無線通信装置が前記第２の無線通信装置を前記第２の感度受信モードに遷移させてから前記第２の電力送信モードに遷移し、前記第２の電力送信モードでデータ送信を行うことを特徴とする無線通信方法。
上記（１１）の無線通信方法では、第１の無線通信装置は第１の送信電力モードとこの第１の送信電力モードより低い送信電力の第２の送信電力モードを有し、第２の無線通信装置は第１の感度受信モードとこの第１の感度受信モードより高い受信感度の第２の感度受信モードを有しており、第１の無線通信装置側から第２の無線通信装置へデータ送信を行うに際して第１の無線通信装置が第２の無線通信装置を相対的に受信感度の高い第２の感度受信モードに遷移させてからこのデータ送信を行うため、秘匿性が高い状態でこのデータ送信が行われ得る。
（１２）第１の感度受信モード、前記第１の感度受信モードより高い受信感度の第２の感度受信モード、第１の送信電力モード、前記第１の送信電力モードより低い送信電力の第２の送信電力モードの４つのモードを有し、
通信相手の通信装置へデータ送信を行う際に、前記通信装置に対して前記第２の感度受信モードへの遷移要求を行う第２の感度受信モード遷移要求手段と、
前記通信装置からデータ受信を行う際に、前記通信装置から前記第２の感度受信モードへの遷移要求を受信したときは、前記第２の感度受信モードへ遷移する第２の感度受信モード遷移手段と、
前記通信装置へデータ送信を行う際に、前記通信装置から、前記通信装置が前記第２の感度受信モードへの遷移した通知を受信したときは、前記第２の送信電力モードに遷移してデータ送信を行う第２の送信電力モード遷移手段とを有することを特徴とする無線通信装置。
上記（１２）の無線通信装置では、送信側及び受信側にこのような無線通信装置を適用して無線通信を行う場合に、送信側からの第２の感度受信モードへの遷移要求に応じて受信側が相対的に高い受信感度の第２の感度受信モードに遷移すると共に該遷移した旨送信側に遷移通知を発し、送信側は該遷移通知を受けて相対的に低い送信電力の第２の送信電力モードで送信データを送信する。このため、正常な通信状態を維持しながら秘匿性を向上させることができる。
【手続補正６】
【補正対象書類名】明細書
【補正対象項目名】００１１
【補正方法】変更
【補正の内容】
【００１１】
（１３）第１の送信電力モード及び前記第１の送信電力モードよりも低い送信電力の第２の送信電力モードを有し、
通信相手の、第１の感度受信モード及び前記第１の感度受信モードよりも高い受信感度の第２の受信感度モードを有する通信装置に対して、前記第２の感度受信モードへの遷移要求を行う第２の感度受信モード遷移要求手段と、
前記通信装置から前記通信装置が前記第２の感度受信モードへ遷移した通知を受信したときに、前記第２の送信電力モードに遷移する第２の送信電力モード遷移手段とを有し、
前記第２の送信電力モードに遷移してから、前記通信装置へ秘匿データを送信することを特徴とする無線通信装置。
上記（１３）の無線通信装置では、送信側にこのような無線通信装置を適用して無線通信を行う場合に、受信側に第２の感度受信モードへの遷移要求を発して受信側が相対的に高い受信感度の第２の感度受信モードに遷移すると共に該遷移した旨の遷移通知を返してきたときには、この受信側に相対的に低い送信電力の第２の送信電力モードで送信データを送信する。このため、正常な通信状態を維持しながら秘匿性を向上させることができる。
（１４）前記無線通信装置は、暗号化キーを前記通信装置へ送信する時に、前記第２の感度受信モード遷移要求手段で前記第２の感度受信モードへの遷移要求を行うことを特徴とする（１２）〜（１３）の何れか一の無線通信装置。
上記（１４）の無線通信装置では、（１２）〜（１３）の何れか一の無線通信装置において特に、暗号化キーを受診側の通信装置へ送信するに際し、第２の感度受信モード遷移要求手段によって第２の感度受信モードへの遷移要求が発される。
（１５）前記第２の感度受信モードへの遷移は、暗号化キーを前記通信装置へ送信する前に、前記第２の感度受信モードへの遷移要求を受信したか否かに関わらずに行われることを特徴とする（１２）〜（１３）の何れか一の無線通信装置。
上記（１５）の無線通信装置では、（１２）〜（１３）の何れか一の無線通信装置において特に、受信側における第２の感度受信モードへの遷移は、この第２の感度受信モードへの遷移要求の受信に依存せずに、暗号化キーを通信装置へ送信する以前の時点で行われる。このため、装置の使い勝手が向上する。
【手続補正７】
【補正対象書類名】明細書
【補正対象項目名】００１２
【補正方法】変更
【補正の内容】
【００１２】
（１６）前記第２の送信電力モード遷移手段は、前記通信装置へデータ送信を行う際に、送信電力を所定電力分下げた状態で、受信確認データを前記通信装置へ送信することを繰り返し、前記通信装置からの送達確認データの受信が可能な最小送信電力まで送信電力を低下させることを特徴とする（１２）〜（１５）の何れか一の無線通信装置。
上記（１６）の無線通信装置では、（１２）〜（１５）の何れか一の無線通信装置において特に、第２の送信電力モード遷移手段は、データ送信時に、送信電力を所定電力分下げた状態で、受信確認データをデータ受信側に送信することを繰り返し、データ受信側からの送達確認データの受信が可能な最小送信電力まで送信電力を低下させる。送信電力高い分解能で限界まで小さく調節することができる。
（１７）前記第２の送信電力モード遷移手段は、前記第２の送信電力モードを選択した時に、送信データを前記第１の送信電力モード時の第１の符号化方式に対して、前記第１の符号化方式よりも誤り訂正能力が高い第２の符号化方式で符号化して送信することを特徴とする（１２）〜（１６）の何れか一の無線通信装置。
上記（１７）の無線通信装置では、（１２）〜（１６）の何れか一の無線通信装置において特に、受信エラーの発生を一層低減することができる。
（１８）前記第２の符号化方式は、前記第１の符号化方式よりも低い誤り訂正符号化率で符号化することを特徴とする（１７）の無線通信装置。
上記（１８）の無線通信装置では、（１７）の無線通信装置において特に、第２の符号化方式として第１の符号化方式よりも低い誤り訂正符号化率での符号化方式が採られる。
（１９）前記第１の符号化方式は符号化率２／３の誤り訂正符号としてハミング符号を用いた符号化方式であり、
前記第２の符号化方式は符号化率１／３の誤り訂正符号として３回同じ情報を送信する単純繰り返し法を用いた符号化方式であることを特徴とする（１７）〜（１８）の何れか一の無線通信装置。
上記（１９）の無線通信装置では、（１７）〜（１８）の何れか一の無線通信装置において特に、第１の符号化方式は符号化率２／３の誤り訂正符号としてハミング符号を用いた符号化方式が採られ、第２の符号化方式として符号化率１／３の誤り訂正符号で３回同じ情報を送信する単純繰り返し法を用いた符号化方式が採られる。
【手続補正８】
【補正対象書類名】明細書
【補正対象項目名】００１３
【補正方法】変更
【補正の内容】
【００１３】
（２０）第１の感度受信モード及び前記第１の感度受信モードよりも高い受信感度の第２の感度受信モードを有し、
通信相手の通信装置から前記第２の感度受信モードへの遷移要求を受信したときに、前記第２の感度受信モードへ遷移する第２の感度受信モード遷移手段を有し、
前記第２の感度受信モードに遷移してから、前記通信装置からの秘匿データを受信することを特徴とする無線通信装置。
上記（２０）の無線通信装置では、受信感度に関して第１の感度受信モードとこの第１の感度受信モードよりも高い受信感度の第２の感度受信モードを有し、且つ、通信相手の通信装置から該第２の感度受信モードへの遷移要求を受信したときにこの第２の感度受信モードへ遷移する第２の感度受信モード遷移手段を有し、通信装置からの秘匿データの受信はこの第２の感度受信モードに遷移してから行われる。